(57)【特許請求の範囲】
【請求項１】
界磁と電機子と、電機子の軸に圧入された軸受を保持する負荷側ブラケットと反負荷側ブラケットを有し、負荷である複数のブレードを中央に吸気口を持つ前シュラウドと後シュラウド間に配列したインペラと、負荷側ブラケットとの間にエアーガイドを形成し、インペラの上方をインペラの吸気口に対応した吸気口を持つケーシングが覆い、このケーシングの吸気口部に、前シュラウドの吸気口内径端面に当接するリップ部を先端に形成したゴム状の弾性体を固定すると共に、前記ケーシングの吸気口内径に略嵌合する樹脂等からなる案内板を前記ゴム状の弾性体に一体形成した電動送風機。
【請求項２】
界磁と電機子と、電機子の軸に圧入された軸受を保持する負荷側ブラケットと反負荷側ブラケットを有し、負荷である複数のブレードを中央に吸気口を持つ前シュラウドと後シュラウド間に配列したインペラと、負荷側ブラケットとの間にエアーガイドを形成し、インペラの上方をインペラの吸気口に対応した吸気口を持つケーシングが覆い、このケーシングの吸気口部に、前シュラウドの吸気口内径端面に当接するリップ部を先端に形成したゴム状の弾性体を固定し、前記弾性体に電機掃除機等の本体側のリブを支持する支持部を形成した電動送風機。
【請求項３】
界磁と電機子と、電機子の軸に圧入された軸受を保持する負荷側ブラケットと反負荷側ブラケットを有し、負荷である複数のブレードを中央に吸気口を持つ前シュラウドと後シュラウド間に配列したインペラと、負荷側ブラケットとの間にエアーガイドを形成し、インペラの上方をインペラの吸気口に対応した吸気口を持つケーシングが覆い、このケーシングの吸気口部と前シュラウドの吸気口先端部に当接するリップ部を先端に形成したゴム状の弾性体とを、電気掃除機等の本体側の吸気部に一体形成した電動送風機。
【発明の詳細な説明】
【０００１】
【発明の属する技術分野】
本発明は、電気掃除機等に使用する電動送風機に関するものである。
【０００２】
【従来の技術】
従来のこの種の電動送風機は、図１０のような構造になっていた。
【０００３】
すなわち、１は整流子２を有する電機子で、軸３の両端に軸受４が圧入され、この軸受４を負荷側ブラケット５と反負荷側ブラケット６にて支持している。７はブラシ８を内蔵したブラシホルダーであり、反負荷側ブラケット６にて保持されている。９は界磁コアーである。１０は、負荷側ブラケット５と負荷であるインペラ１１間に形成したエアーガイドである。インペラ１１の上方には、ケーシング１２が覆っており、インペラ１１の吸気口１１ａと対応した吸気口１２ａを有している。インペラ１１はスペーサー１３，座金１４及びナット１５により軸３に固定され軸３とともに回転する。
【０００４】
１６は、ケーシング１２の吸気口１２ａを形成する樹脂等からなるケーシングキャップであり、ケーシング１２へは溶着等で固定している。
【０００５】
インペラ１１は、複数のブレード１７を、中央に吸気口を持つ傘状の前シュラウド１８と平板状の後シュラウド１９間に配列している。
【０００６】
このような構造で電動送風機２０が構成されている。
【０００７】
【発明が解決しようとする課題】
このような電動送風機２０の場合、通電によりインぺラ１１が回転を始め、空気がケーシング１２の吸気口１２ａを経てインぺラ１１の吸気口１１ａから吸気されたエアーガイド１０を通り、電動送風機２０の内部を冷却するように通過したのち排気されるようになる。
【０００８】
近年、電気掃除機の吸い込み性能は飛躍的に向上してきており、それに伴い電動送風機２０のますますの高性能化が要求されている。
【０００９】
そのような中で、高性能化を図るために、モータ部とともにファン部の性能向上が図られるが、特に吸気口部でのエアーリーク（逆流による洩れ）による性能損失が高出力になればなるほど問題となってくる。
【００１０】
本発明は、このような課題を解消し、高性能が図られた、品質の高い電動送風機を提供することを目的とする。
【００１１】
【課題を解決するための手段】
上記課題を解決するために本発明は、界磁と電機子と、電機子の軸に圧入された軸受を保持する負荷側ブラケットと反負荷側ブラケットを有し、負荷である複数のブレードを中央に吸気口を持つ前シュラウドと後シュラウド間に配列したインペラと、負荷側ブラケットとの間にエアーガイドを形成し、インペラの上方をインペラの吸気口に対応した吸気口を持つケーシングが覆い、このケーシングの吸気口部に、前シュラウドの吸気口内径端面に当接するリップ部を先端に形成したゴム状の弾性体を固定すると共に、前記ケーシングの吸気口内径に略嵌合する樹脂等からなる案内板を前記ゴム状の弾性体に一体形成したものである。
【００１２】
【発明の実施の形態】
本発明を実施する形態としては、ケーシングの吸気口部に前シュラウドの吸気口内径端面に当接するリップ部を先端に形成したゴム状の弾性体を固定すると共に、前記ケーシングの吸気口内径に略嵌合する樹脂等からなる案内板を前記ゴム状の弾性体に一体形成することにより、ケーシングと前シュラウド間に発生するエアーリーク（逆流による洩れ）を防止できるので、性能の向上が図れるようになる。
【００１３】
また、ケーシングの吸気口内径に略嵌合する樹脂等からなる案内板をゴム状の弾性体に一体形成し、前記弾性体には前シュラウドの吸気口内径端面に当接するリップ部を先端に形成して実施する場合には、エアーリーク防止用のリップ部がケーシングの吸気口内径にひっかかることがなくなり、組立性と信頼性の向上が図れる。
【００１４】
また、ケーシングの吸気口部に前シュラウドの吸気口内径端面に当接するリップ部を先端に形成したゴム状の弾性体を固定し、前記弾性体に電気掃除機等の本体側のリブを支持する支持部を形成して実施する場合には、エアーリーク防止による性能の向上とともに、電動送風機の振動の低い軸中心に近づいたところで支持するようになるため低騒音化をも一緒に図れる。
【００１５】
また、ケーシングの吸気口部と前シュラウドの吸気口先端部に当接するリップ部を先端に形成したゴム状の弾性体を、電気掃除機等の本体側の吸気部に一体形成して実施する場合には、エアーリーク防止とともに、電気掃除機等と電動送風機の吸気口部でのエアーのスムーズな流路を容易に形成でき、乱流の発生も防止でき、性能の一層の向上が図れる。
【００１６】
【実施例】
以下、本発明の実施例を添付図面を参照して説明する。
【００１７】
図１ないし図９において、３１は整流子３２を有する電機子で、軸３３の両端に軸受３４が圧入され、この軸受３４を負荷側ブラケット３５と反負荷側ブラケット３６にて支持している。３７はブラシ３８を内蔵したブラシホルダーであり、反負荷側ブラケット３６にて保持されている。３９は界磁コアーである。４０は、負荷側ブラケット３５と負荷であるインペラ４１間に形成したエアーガイドである。インペラ４１の上方には、ケーシング４２が覆っておりインペラ４１の吸気口４１ａと対応した吸気口４２ａを有している。インペラ４１はスペーサー４３，座金４４及びナット４５により軸３３に固定され軸３３とともに回転する。
【００１８】
インペラ４１は、複数のブレード４６を、中央に吸気口を持つ傘状の前シュラウド４７と平板状の後シュラウド４８間に配列している。
【００１９】
４９はケーシング４２の吸気口４２ａ部に前シュラウド４７の吸気口内径端面４７ａに当接するリップ部５０ａを先端に形成したゴム状の弾性体である。
【００２０】
このような構造で電動送風機５１が構成されている。
【００２１】
５２は、前シュラウド４７の吸気口内径Ｄ１より大きい吸気口内径Ｄ２のリップ部５２ａを先端に形成したゴム状の弾性体である。
【００２２】
５３は、ケーシング４２の吸気口４２ａの内径に略嵌合する樹脂等からなる案内板５４を一体に形成したゴム状の弾性体であり、弾性体５３には前シュラウド４７の吸気口内径端面４７ａに当接するリップ部５３ａを先端に形成している。
【００２３】
５５は、前シュラウド４７の吸気口先端部４７ｂと略同一高さにリップ部５５ａを軸３３の略直角方向に当接するゴム状の弾性体である。
【００２４】
５６は、ゴム状の弾性体であり、その先端部のリップ部５６ａをケーシング４２に略対向した前シュラウド４７の表面４７ｃに、軸３３の略水平方向に当接するようケーシング４２の吸気口４２ａの高さＨ１を反負荷側に近づけるよう前シュラウド４７の吸気口先端部４７ｂの高さＨ２より低く形成してある。
【００２５】
５７は、樹脂材料からなるケーシングキャップであり、ケーシング４２の吸気口４２ａ部に有し、ケーシングキャップ５７の吸気口５７ａの外壁５７ｂに、前シュラウド４７の吸気口先端部４７ｂと当接する凸部５７ｃを軸３３の略直角方向に形成してある。
【００２６】
５８は、ケーシング４２の吸気口４２ａに前シュラウド４７の吸気口内径端面４７ａに当接するリップ部５８ａを先端に形成したゴム状の弾性体であり、前記弾性体５８に電気掃除機等の本体５９側のリブ５９ａを支持する支持部５８ｂを形成してある。
【００２７】
６０は、ケーシング４２の吸気口４２ａと前シュラウド４７の吸気口先端部４７ｂに当接するリップ部６０ａを先端に形成したゴム状の弾性体であり、電気掃除機等の本体６１側の吸気部６１ａに一体形成してある。
【００２８】
次に上記構成における動作，作用について説明する。
【００２９】
図２に示す構成の実施例１では、ケーシング４２の吸気口４２ａ部に前シュラウド４７の吸気口内径端面４７ａに当接するリップ部５０ａを先端に形成したゴム状の弾性体４９があるので、ケーシング４２と前シュラウド４７間に発生するエアーリークを防止できるので、性能の向上が図れるようになる。
【００３０】
図３に示す構成の実施例２では、前シュラウド４７の吸気口内径Ｄ１より大きい吸気口内径Ｄ２のリップ部５２ａを先端に形成したゴム状の弾性体５２を有し、前記リップ部５２ａをケーシング４２に略対向した前シュラウド４７の表面に当接しているので、吸気口面積を狭めることなくエアーリークの防止となるので、一層性能の向上が図れる。
【００３１】
図４に示す構成の実施例３では、ケーシング４２の吸気口４２ａ内径に略嵌合する樹脂等からなる案内板５４をゴム状の弾性体５３に一体形成するとともに、前記弾性体５３には前シュラウド４７の吸気口内径端面４７ａに当接するリップ部５３ａを先端に形成しているので、エアーリーク防止用のリップ部５３ａがケーシング４２の吸気口４２ａ内径にひっかかることがなくなり、組立性と信頼性の向上が図れる。
【００３２】
図５に示す構成の実施例４では、前シュラウド４７の吸気口先端部４７ｂと略同一高さにリップ部５５ａを軸３３の略直角方向に当接するゴム状の弾性体５５をケーシング４２に形成してあるので、エアーリークの防止とともに、軸方向の小型化が図れる。
【００３３】
図６に示す構成の実施例５では、ゴム状の弾性体５６のリップ部５６ａをケーシング４２に略対向した前シュラウド４７の表面に、軸３３の略水平方向に当接するようケーシング４２の高さを反負荷側に近づけたので、軸３３の方向に小型化が図れるとともに吸気口面積を狭めることなく、エアーリークの防止となるので、一層性能の向上が図れる。
【００３４】
図７に示す構成の実施例６では、樹脂材料からなるケーシングキャップ５７をケーシング４２の吸気口４２ａ部に有し、ケーシングキャップ５７の吸気口５７ａの外壁５７ｂに、前シュラウド４７の吸気口先端部４７ｂと当接する凸部５７ｃを軸３３の略直角方向に形成してあるので、エアーリークの防止となり、性能の向上が図れる。
【００３５】
図８に示す構成の実施例７では、ケーシング４２の吸気口４２ａ部に前シュラウド４７の吸気口内径端面４７ａに当接するリップ部５８ａを先端に形成したゴム状の弾性体５８を固定し、前記弾性体５８に電気掃除機等の本体５９側のリブ５９ａを支持する支持部５８ｂを形成してあるので、エアーリーク防止による性能の向上とともに、電動送風機の振動の低い軸中心に近づいたところで支持するようになるため低騒音化をも一緒に図れる。
【００３６】
図９に示す構成の実施例８では、ケーシング４２の吸気口４２ａと前シュラウド４７の吸気口先端部４７ｂに当接するリップ部６０ａを先端に形成したゴム状の弾性体６０を、電気掃除機等の本体６１側の吸気部６１ａに一体形成してあるので、エアーリーク防止とともに、電気掃除機等と電動送風機の吸気口部でのエアーのスムーズな流路を容易に形成できるので乱流の発生も防止でき、性能の一層の向上が図れる。
【００３７】
【発明の効果】
以上のように本発明は、ケーシングの吸気口部に前シュラウドの吸気口内径端面に当接するリップ部を先端に形成したゴム状の弾性体があるので、ケーシングと前シュラウド間に発生するエアーリーク（逆流による洩れ）を防止でき、性能の向上が図れるようになる。
【００３８】
また、ケーシングの吸気口内径に略嵌合する樹脂等からなる案内板をゴム状の弾性体に一体形成するとともに、前記弾性体には前シュラウドの吸気口内径端面に当接するリップ部を先端に形成した場合は、エアーリーク防止用のリップ部がケーシングの吸気口内径にひっかかることがなくなり、組立性と信頼性の向上が図れる。
【００３９】
また、ケーシングの吸気口部に前シュラウドの吸気口内径端面に当接するリップ部を先端に形成したゴム状の弾性体を固定し、前記弾性体に電気掃除機等の本体側のリブを支持する支持部を形成した場合は、エアーリーク防止による性能の向上とともに、電動送風機の振動の低い軸中心に近づいたところで支持するようになるため低騒音化をも一緒に図れる。
【００４０】
また、ケーシングの吸気口部と前シュラウドの吸気口先端部に当接するリップ部を先端に形成したゴム状の弾性体を、電気掃除機等の本体側の吸気部に一体形成した場合は、エアーリーク防止とともに、電気掃除機等と電動送風機の吸気口部でのエアーのスムーズな流路を容易に形成できるので、乱流の発生も防止でき、性能の一層の向上が図れる。
【図面の簡単な説明】
【図１】  本発明の実施例における電動送風機の側断面図
【図２】  本発明の実施例１における電動送風機の吸気部の部分拡大断面図
【図３】  本発明の実施例２における電動送風機の吸気部の部分拡大断面図
【図４】  本発明の実施例３における電動送風機の吸気部の部分拡大断面図
【図５】  本発明の実施例４における電動送風機の吸気部の部分拡大断面図
【図６】  本発明の実施例５における電動送風機の吸気部の部分拡大断面図
【図７】  本発明の実施例６における電動送風機の吸気部の部分拡大断面図
【図８】  本発明の実施例７における電動送風機の吸気部の部分拡大断面図
【図９】  本発明の実施例８における電動送風機の吸気部の部分拡大断面図
【図１０】  従来の電動送風機の側断面図
【符号の説明】
３１  電機子
３３  軸
３４  軸受
３５  負荷側ブラケット
３６  反負荷側ブラケット
３９  界磁コアー
４０  エアーガイド
４１  インペラ
４２  ケーシング
４７  前シュラウド
４９，５２，５３，５５，５６，５８，６０  弾性体
５０ａ，５２ａ，５３ａ，５５ａ，５６ａ，５８ａ，６０ａ  リップ部
５１  電動送風機
５４  案内板
５７  ケーシングキャップ
５７ｃ  凸部
５８ｂ  支持部
【図１】
0003726378.tif 000002
【図２】
0003726378.tif 000003
【図３】
0003726378.tif 000004
【図４】
0003726378.tif 000005
【図５】
0003726378.tif 000006
【図６】
0003726378.tif 000007
【図７】
0003726378.tif 000008
【図８】
0003726378.tif 000009
【図９】
0003726378.tif 000010
【図１０】
0003726378.tif 000011